(57)【要約】【課題】電装品箱内に配置される電子機器が当該電装品箱内部に入り込んだ水に、直接、曝され難い空調機用室内機を提供することを課題とする。【解決手段】本発明に係る空調機用室内機１０は、室内に据え付けられる空調機用室内機１０であって、空調用の構成機器が内部に配置されるケーシング１１と、外部電源とケーブル２１を介して接続されて前記構成機器を制御する電子機器２２が内部に配置される電装品箱２０と、を備え、電装品箱２０は、その内部と外部とを連通する連通部２４ａが形成され、当該電装品箱２０内部を電子機器２２が配置される電子機器配置室２３と連通部２４ａが形成されたその他の室２４とに区分けする防水隔壁２５を有し、防水隔壁２５には前記二つの室２３，２４を連通する貫通孔２６が設けられることを特徴とする。【選択図】図２
2009041836.tif 000002
【特許請求の範囲】
【請求項１】
室内に据え付けられる空調機用室内機であって、
空調用の構成機器が内部に配置されるケーシングと、
外部電源とケーブルを介して接続されて前記構成機器を制御する電子機器が内部に配置される電装品箱と、を備え、
前記電装品箱は、その内部と外部とを連通する連通部が形成され、当該電装品箱内部を前記電子機器が配置される電子機器配置室と前記連通部が形成されたその他の室とに区分けする防水隔壁を有し、
前記防水隔壁には前記二つの室を連通する貫通孔が設けられることを特徴とする空調機用室内機。
【請求項２】
前記その他の室は、前記ケーブルが前記連通部を通じて前記電装品箱外部から内部に導入されるケーブル導入室であり、
前記貫通孔は、前記ケーブル導入室に導入されたケーブルを前記電子機器に接続するために前記ケーブル導入室側から前記電子機器配置室側へ通過させるための通過孔であることを特徴とする請求項１に記載の空調機用室内機。
【請求項３】
前記防水隔壁は、前記ケーブル導入室が下側になるよう、前記電装品箱内部を上下に区分けすることを特徴とする請求項２に記載の空調機用室内機。
【請求項４】
前記防水隔壁は、少なくとも一部が下方に向かって傾斜し、その最下部に前記通過孔又は前記ケーブル導入室内と電子機器配置室内とを連通する隔壁排水孔の少なくとも一方が設けられることを特徴とする請求項３に記載の空調機用室内機。
【請求項５】
前記防水隔壁は、前記電子機器が配置される内壁面から離れるに従って下がるように傾斜することを特徴とする請求項３又は４に記載の空調機用室内機。
【請求項６】
前記ケーブル導入室の底部は、少なくとも一部が下方に向かって傾斜し、その最下部に電装品箱の外部と内部とを連通する導入室排水孔が設けられることを特徴とする請求項３乃至５のいずれか一項に記載の空調機用室内機。
【請求項７】
前記電装品箱は、前記ケーシングの外側に取り付けられることを特徴とする請求項２乃至６のいずれか一項に記載の空調機用室内機。
【発明の詳細な説明】
【技術分野】
【０００１】
本発明は、室内に据え付けられ、空調室内に対して所望の空調を行う空調機用室内機に関する。
【背景技術】
【０００２】
加工食品の製造工場等において空調を行う場合、空調機用室内機から吹き出された冷気が加工食品や原料に直接当たることで当該加工食品等が部分的に乾燥することや、前記冷気が所定の方向に吹き出されることで室内温度に偏りが生じて前記食品等の品質が低下することを避ける必要がある。そのため、従来から、前記加工食品の製造工場等において用いられる空調システムとしては、図５に示すようなソックダクト１３１から冷気を供給する空調システム１００が用いられている（特許文献１参照）。
【０００３】
具体的には、前記空調システム１００は、ソックダクト１３１と、このソックダクト１３１が冷気の吹出し口に接続される空調機用室内機（室内ユニット）１１０と、を備える。ソックダクト１３１は、合成繊維や難燃性繊維で形成された通気性のある袋状のダクトで、当該ダクト１３１全表面から極めて低速で均一に冷気を吹き出すことができる。即ち、ソックダクト１３１は、その周囲の全方向へ染み出すように冷気を空調される室内に供給できる。そのため、前記加工食品等において空調機用室内機１１０にソックダクト１３１が接続されて空調が行われることで、室内温度が均一となり、且つ前記加工食品等に直接冷気（冷風）が当たらない。
【０００４】
また、前記空調機用室内機１１０は、吸い込んだ空気を冷却してソックダクト１３１内に吹き出す（供給する）ものであり、熱交換器１１３や送風機１１２等の空調用の構成機器が内部に配置されたケーシング１１１と、これら構成機器を制御する基板等の電子機器が内部に配置された電装品箱（図示せず）と、を備える。
【０００５】
この電装品箱は、その内部に空調機用室内機１１０で用いられる電子機器が集中して配置され、これら電子機器のメンテナンスや修理等の便宜のため、通常、ケーシング１１１の外側に取り付けられている。即ち、前記電装品箱がケーシング１１１の外側に取り付けられることで、当該電装品箱の蓋（カバー）等を開くだけで作業者等が電子機器に容易にアクセスでき、メンテナンスや修理等の作業が行い易い。
【０００６】
前記電装品箱内に配置された前記電子機器は、ケーシング１１１内の前記構成機器と接続ケーブルを介して接続され、前記構成機器を制御している。また、前記電子機器は、外部電源とも電源ケーブルを介して接続され、前記外部電源から電力を供給されている。
【０００７】
これらケーブルもメンテナンスや修理等の便宜のため、前記電装品箱及びケーシング１１１の外側を通るように配線されている。
【特許文献１】特開平１１―２８９９５号公報
【発明の開示】
【発明が解決しようとする課題】
【０００８】
ところで、農作物を栽培する際のビニルハウス等の栽培施設内の空調には、農作物に直接吹き出した風が当たらず、当該ビニルハウス内の温度を均一にすることが求められる。そのため、上記のようなソックダクト１３１を用いた空調機用室内機１１０がビニルハウス内において使用される場合がある。
【０００９】
このようなビニルハウスにおいては、農作物を栽培しているため、定期的に水が散布されて内部の湿度が非常に高くなる場合がある。この場合、ビニルハウス内の前記空調機用室内機１１０は、湿度が非常に高い空気に曝される。
【００１０】
ここで、前記空調機用室内機１１０の電装品箱には、外部電源やケーシング１１１内の前記構成機器からのケーブルを内部に引込むための貫通孔が設けられている。この貫通孔は、前記ケーブルを挿通した後にパテ等で隙間が埋められるが、前記隙間が完全に埋っていない場合がある。また、前記空調機用室内機１１０は、低温の空気に曝されることで電装品箱内面に結露が生じる場合があるため、当該電装品箱の底部には、電装品箱内面（内部）で発生した結露等を外部へ排水する排水孔が設けられる場合がある。即ち、電装品箱には、外部から構成部材を引込むためや排水等のために、その内部と外部とを連通する部位（連通部）が形成されている場合がある。
【００１１】
この場合、空調機用室内機１１０が前記ビニルハウス内に設置されていると、上記のように空調機用室内機１１０が高湿度の空気に曝された際に、前記隙間や排水孔等の連通部から空気中の水分（湿気又は水蒸気）が前記電装品箱内部に入り込む場合がある。この場合、前記電装品箱内部に配置された電子機器が前記入り込んだ水分に直接曝されることになる。そのため、前記電子機器が前記入り込んだ水分、即ち水によって故障することが懸念された。
【００１２】
そこで、本発明は、上記問題点に鑑み、電装品箱内に配置される電子機器が当該電装品箱内部に入り込んだ水に、直接、曝され難い空調機用室内機を提供することを課題とする。
【課題を解決するための手段】
【００１３】
上記課題を解消すべく、本発明に係る空調機用室内機は、室内に据え付けられる空調機用室内機であって、空調用の構成機器が内部に配置されるケーシングと、外部電源とケーブルを介して接続されて前記構成機器を制御する電子機器が内部に配置される電装品箱と、を備え、前記電装品箱は、その内部と外部とを連通する連通部が形成され、当該電装品箱内部を前記電子機器が配置される電子機器配置室と前記連通部が形成されたその他の室とに区分けする防水隔壁を有し、前記防水隔壁には前記二つの室を連通する貫通孔が設けられることを特徴とする。
【００１４】
かかる構成によれば、防水隔壁によって電装品箱の内部が区分けされているため、電装品箱内に水（水分）が浸入した場合でも、前記水は、前記連通部を通じてその他の室に浸入するのみであり、電機器配置室に配置された電子機器は、直接、前記水に曝されない。しかも、その他の室に浸入した前記水は、防水隔壁によって阻まれ、電子機器配置室に浸入し難い。そのため、前記電子機器は、外部から電装品箱２０内部に浸入した水に直接曝され難くなる。
【００１５】
また、前記防水隔壁に貫通孔が設けられることで、前記電子機器配置室からその他の室に亘って配置する必要のある部材を配置することが可能となる。
【００１６】
本発明にかかる空調機用室内機においては、前記その他の室は、前記ケーブルが前記連通部を通じて前記電装品箱外部から内部に導入されるケーブル導入室であり、前記貫通孔は、前記ケーブル導入室に導入されたケーブルを前記電子機器に接続するために前記ケーブル導入室側から前記電子機器配置室側へ通過させるための通過孔であってもよい。
【００１７】
かかる構成によれば、電装品箱の外部から内部に導入されるケーブルに沿って電装品箱内に水が浸入した場合でも、前記水は、ケーブル導入室に浸入するのみであり、電子機器配置室に配置された電子機器は、直接、前記水に曝されない。しかも、ケーブル導入室に浸入した前記水は、前記同様、防水隔壁によって阻まれ、電子機器配置室に浸入し難い。そのため、前記電子機器は、外部から前記ケーブルに沿って電装品箱内部に浸入した水に直接曝され難くなる。
【００１８】
また、前記防水隔壁は、前記ケーブル導入室が下側になるよう、前記電装品箱内部を上下に区分けする構成であってもよい。
【００１９】
かかる構成によれば、電子機器配置室の下側にケーブル導入室が位置するため、当該ケーブル導入室に浸入した水は、上側に位置する電子機器配置室へはケーブルを伝って浸入し難くなる。
【００２０】
また、前記防水隔壁は、少なくとも一部が下方に向かって傾斜し、その最下部に前記通過孔又は前記ケーブル導入室内と電子機器配置室内とを連通する隔壁排水孔の少なくとも一方が設けられる構成であってもよい。
【００２１】
かかる構成によれば、電子機器配置室に水が浸入した場合であっても、この浸入した水は、電子機器配置室の底部を構成する防水隔壁の傾斜に沿って最下部に向かって流れる。この最下部には通過孔又は隔壁排水孔が設けられ、即ち、最下部で電子機器配置室内とケーブル導入室内とを連通する孔が設けられているため、前記防水隔壁に沿って流れてきた水は、下側のケーブル導入室に前記孔を通じて排水される。そのため、電子機器配置室内に水が留らず、電子機器はより濡れ難くなる。
【００２２】
この場合、前記防水隔壁は、前記電子機器が配置される内壁面から離れるに従って下がるように傾斜する構成が好ましい。
【００２３】
かかる構成によれば、電子機器配置室に水が浸入した場合であっても、この水が前記防水隔壁上にたまり、それが当該防水隔壁上を電子機器配置室内に配置された電子機器から離れる方向に流れるため、より電子機器が濡れ難くなる。
【００２４】
また、前記ケーブル導入室の底部は、少なくとも一部が下方に向かって傾斜し、その最下部に電装品箱の外部と内部とを連通する導入室排水孔が設けられる構成であってもよい。
【００２５】
かかる構成によれば、ケーブル導入室に導入されるケーブルに沿って浸入した水、及び電子機器配置室から排水された水がケーブル導入室の底部に沿って最下部に向かって流れる。この最下部には前記導入室排水口が設けられているため、前記底部に沿って流れてきた水、即ち、電装品箱内部に浸入した水が外部に排水される。
【００２６】
また、前記電装品箱は、前記ケーシングの外側に取り付けられる構成であってもよい。
【００２７】
かかる構成によれば、電装品箱内部の電子機器の修理及びメンテナンスの際に、電装品箱がケーシングの外側に露出しているため、作業が行い易くなる。
【００２８】
また、電装品箱がケーシングの外側に取り付けられているため、空調を行っている室内の空気に直接曝され、当該電装品箱内部に水が浸入する場合があり得る。しかし、その場合でも、前記水は、前記同様、防水隔壁によって電装品箱の内部が区分けされているため、ケーブル導入室に浸入するのみである。また、防水隔壁によって阻まれるため前記ケーブル導入室に浸入した水は電子機器配置室に浸入し難い。その結果、前記電子機器は、外部から電装品箱内部に浸入した水に直接曝され難くなる。
【発明の効果】
【００２９】
以上より、本発明によれば、電装品箱内に配置される電子機器が当該電装品箱内部に入り込んだ水に、直接、曝され難い空調機用室内機を提供することができるようになる。
【発明を実施するための最良の形態】
【００３０】
以下、本発明の一実施形態について、添付図面を参照しつつ説明する。
【００３１】
本実施形態に係る空調機用室内機（以下、単に「室内ユニット」とも称する。）は、例えば、加工食品の工場やビニルハウス等の栽培施設内に据え付けられるものであり、ダクト（又はソックダクト）やコンデンシングユニット（室外ユニット）と共に冷却システムを構成している。
【００３２】
具体的には、図１及び図２に示されるように、室内ユニット１０は、天井吊下げ型の室内ユニット１０であり、空調機用の構成機器が内部に配置されるケーシング１１と、電子機器が内部に配置される電装品箱２０とを備えている。
【００３３】
ケーシング１１は、前後が開口した四角い角筒状に形成されており、その内部には、前記空調機用の構成機器として、空調を行う室内（以下、単に「室内」とも称する）の空気を吸排気する送風機１２と、この送風機１２によって吸入した前記室内の空気を冷却するための熱交換器（蒸発器）１３と、この熱交換器１３の下側に配置され、当該熱交換器１３から滴下するドレンを受けるドレンパン１４等が配置されている。尚、本実施形態のケーシング１１において、空気が吹き出される側が前方側で、前記空気が吸入される側が後方側とする。
【００３４】
また、ケーシング１１の後方側開口１５は、室内の空気を吸入するための吸入口１５であり、ケーシング１１の前方側開口１６は、熱交換器１３によって冷却された前記空気を吹き出すための吹き出し口１６である。この吹き出し口１６は、後述するダクト３０又はソックダクト３１を接続可能に構成されている（図４（ａ）及び図４（ｂ）参照）。
【００３５】
送風機１２は、ケーシング１１後方側の吸入口１５を通じて室内の空気をケーシング１１内に吸入して前方側に吹き出すものである。この送風機１２は、ファンモータ１２ａと、このファンモータ１２ａに連結されて回転駆動される羽根車１２ｂとを備えたシロッコファンである。
【００３６】
熱交換器１３は、送風機１２の前方側（吹き出し口１６側）に配置されたフィンチューブ型の熱交換パネルである。本実施形態においては、この熱交換器１３は、蒸発器としてのみ機能する。これにより、熱交換器１３は、送風機１２によって吸入口１５を通じてケーシング１１内に吸入された空気と熱交換を行って、当該空気を冷却することができる。しかし、これに限定される必要はなく、熱交換器１３は、凝縮器としても機能するように構成されてもよい。このように構成することで、室内ユニット１０は、暖房運転、即ち、吸入した空気を加熱して吹き出すことも可能となる。
【００３７】
ドレンパン１４は、熱交換器１３において空気中の水分が凝縮されて当該熱交換器１３から滴下するドレンを受けるためのもので、熱交換器１３の下側、即ち、ケーシング１１の下部に配置される。このドレンパンに溜まったドレンは、ドレンポンプ（図示せず）によってケーシング１１の外部に排水される。
【００３８】
電装品箱２０は、ケーシング１１の外側の側面に取り付けられた箱状体である。この電装品箱２０の内部には、外部電源とケーブル（電源ケーブル）２１ａを介して接続されて前記空調機用の構成機器を制御する電子機器２２が配置されている。この電子機器２２は、前記空調機用の構成機器とも接続ケーブル２１ｂを介して接続されている。
【００３９】
詳細には、図３にも示すように、電装品箱２０は、当該電装品箱２０内部を、上下２つの部屋（室）、即ち、前記電子機器２２が配置される電子機器配置室２３とその他の室（本実施形態においては、前記ケーブル（電源ケーブル２１ａ及び接続ケーブル２１ｂ）２１が後述の貫通孔（連通部）２４ａを通じて当該電装品箱２０内部に導入されるケーブル導入室）２４とに区分けする防水隔壁２５を有する。
【００４０】
防水隔壁２５は、表面が塗装された金属板であり、電装品箱２０の内部空間を区分け（仕切ることが）できるよう、当該電装品箱２０の内部形状に即した形状（本実施形態においては、矩形状）に形成されている。また、防水隔壁２５には、ケーブル２１が通過することができる通過孔２６が設けられている。
【００４１】
接続ケーブル２１ｂは、メンテナンスの便宜のため、ケーシング１１及び電装品箱２０の外部を通るように配線されている。即ち、接続ケーブル２１ｂは、一方側端部がケーシング１１内に引き込まれて前記構成機器に接続され、他方側端部が電装品箱２０内に引き込まれて電子機器２２に接続されている。
【００４２】
電装品箱２０についてより詳細に説明すると、電装品箱２０は、当該電装品箱２０をケーシング１１の側面側から見た場合に、手前側（ケーシング１１に取り付けられている側と反対側）が開口した箱状体の電装品箱本体２０ａと、この開口を開閉可能に覆っている蓋２０ｂとで構成されている。
【００４３】
電装品箱２０の上側に形成される電子機器配置室２３には、複数の電子機器２２が配置されている。これら複数の電子機器２２は、全て共通の内壁面（ケーシング１１側、即ち奥側の内壁面）に取り付けられている。
【００４４】
電装品箱２０の下側に形成されるケーブル導入室２４には、外部からケーブル２１を引込むための貫通孔２４ａが設けられている。即ち、貫通孔２４ａは、防水隔壁２５に設けられる通過孔２６よりも下側に位置するように設けられている。この貫通孔２４ａは、ケーブル導入室２４の内部と外部（電装品箱２０の外部）とを連通し、ケーブル２１が挿通される。この貫通孔２４ａは、本実施形態においては、各ケーブル２１ａ，２１ｂに対応して複数設けられているが、一つの貫通孔２４ａに全てのケーブル２１ａ，２１ｂを挿通するようにしてもよい。このようにして貫通孔２４ａを通じてケーブル導入室２４内に導入されたケーブル２１は、上側に向かって延び、後述する防水隔壁２５の通過孔２６を通過して電子機器配置室２３に導入され、内部に配置された複数の電子機器２２，２２，…にそれぞれ接続される。
【００４５】
このようにケーブル２１をケーブル導入室２４（電装品箱２０）に導入して内部の電子機器２２と接続した後に、当該ケーブル２１と貫通孔２４ａとの隙間は、パテ等で埋められる（塞がれる）。
【００４６】
このような電子機器配置室２３とケーブル導入室２４とを区分けする防水隔壁２５は、電装品箱２０の電子機器２２が配置された（ケーシング１１側の）内壁面から離れるに従って下がるように、即ち、前記手前側が下がるように傾斜して電装品箱２０に取り付けられている。そして、防水隔壁２５には、最下部に通過孔２６が設けられている。この通過孔２６は、ケーブル導入室２４に導入されたケーブル２１を電子機器配置室２３側へ通過させるための貫通孔である。尚、本実施形態において、通過孔２６は、防水隔壁２５の最下部に設けられているが、これに限定される必要はなく、他の部位に設けられてもよい。この場合、防水隔壁２５の前記最下部には、ケーブル導入室２４と電子機器配置室２３とを連通する隔壁排水孔２６’が設けられる。この隔壁排水孔２６’は、電子機器配置室２３内に浸入した水をケーブル導入室２４に排水するための貫通孔であり、両室２３，２４を連通するように防水隔壁２５に設けられていればよい。
【００４７】
また、ケーブル導入室２４の底部（又は電装品箱２０の底部）２７も前記手前側が下がるように傾斜して形成されている。即ち、底部２７は、防水隔壁２５と平行若しくは略平行となるように形成されている。そして、その最下部には、ケーブル導入室２４（電装品箱２０）の外部と内部とを連通する導入室排水孔２８が設けられている。尚、この導入室排水孔２８は、底部２７に限定される必要はなく、底部２７の最下部近傍の側壁等に設けられてもよい。即ち、ケーブル導入室２４に浸入した水が底部２７に沿って最下部に溜まり、この溜まった水を外部に排水できる位置であればよい。
【００４８】
このように構成された室内ユニット１０は、吹き出し口１６に図４（ａ）に示されるような冷風を案内する筒状のダクト３０、又は、図４（ｂ）に示されるような合成繊維や難燃性繊維で形成された通気性のある袋状のダクト（いわゆるソックダクト）３１が接続され、さらに室外に配置されたコンデンシングユニット（図示しない）を接続されることで冷却システムを構成する。尚、ソックダクト３１は、吹き出し口チャンバー３２等を介してケーシング１１の吹き出し口１６に接続される。
【００４９】
本実施形態に係る室内ユニット１０は、以上の構成からなり、次に、この室内ユニット１０の動作について説明する。
【００５０】
電源ケーブル２１ａが外部電源に接続され、室内ユニット１０、より詳細には、電装品箱２０内部の電子機器２２が通電される。そして、この電子機器２２からの制御信号や駆動電流等が接続ケーブル２１ｂを通じてケーシング１１内の前記構成機器に供給される。この制御信号や駆動電流に基づいて、室内ユニット１０のファンモータ１２ａ，１２ａが駆動されて、送風機１２の羽根車１２ｂが回転する。また、ファンモータ１２ａの駆動と共に、熱交換器１３内には、コンデンシングユニット（図示せず）から冷媒が供給される。ここで、前述のように、熱交換器１３は、蒸発器として作用する。そして、羽根車１２ｂの回転に伴って、室内の空気がケーシング１１の吸入口１５を通じて送風機１２に吸入される。この吸入された空気は、羽根車１２ｂによって前方側に吹き出されて熱交換器１３に到達し、当該熱交換器１３において冷却された後、吹出し口１６を通じて、当該吹き出し口１６に接続されたダクト３０又は吹き出し口チャンバー３２を介してソックダクト３１へ吹き出される。このダクト３０又はソックダクト３１に吹き出された冷風は、当該ダクト３０又はソックダクト３１を経て室内に供給される。このようにして、室内の冷房（空調）が行われる。
【００５１】
次に、本実施形態に係る室内ユニット１０の作用及び効果を説明する。
【００５２】
本発明に係る室内ユニット１０は、空調用の構成機器が内部に配置されるケーシング１１と、外部電源とケーブル２１を介して接続されて前記構成機器を制御する電子機器２２が内部に配置される電装品箱２０と、を備える。そして、前記電装品箱２０は、その内部と外部とを連通する連通部２４ａが形成され、当該電装品箱２０内部を前記電子機器２２が配置される電子機器配置室２３と連通部２４ａが形成されたその他の室２４とに区分けする防水隔壁２５を有し、防水隔壁２５には前記二つの室２３，２４を連通する貫通孔２６が設けられる。このように防水隔壁２５によって電装品箱２０の内部が区分けされているため、電装品箱２０内に水（水分）が浸入した場合でも、前記水は、前記連通部２４ａを通じてその他の室に浸入するのみであり、電機器配置室２３に配置された電子機器２２は、直接、前記水に曝されない。しかも、その他の室２４に浸入した前記水は、防水隔壁２５によって阻まれ、電子機器配置室２３に浸入し難い。そのため、電子機器２２は、外部から電装品箱２０内部に浸入した水に直接曝され難くなる。
【００５３】
また、防水隔壁２５に貫通孔２６が設けられることで、電子機器配置室２３からその他の室２４に亘って配置する必要のある部材を配置することが可能となる。
【００５４】
また、その他の室２４は、ケーブル２１が連通部２４ａを通じて電装品箱２０外部から内部に導入されるケーブル導入室２４であり、貫通孔２６は、ケーブル導入室２４に導入されたケーブル２１を電子機器２２に接続するためにケーブル導入室２４側から電子機器配置室２３側へ通過させるための通過孔２６である。そのため、電装品箱２０の外部から内部に導入されるケーブル２１に沿って電装品箱２０内に水が浸入した場合でも、前記水は、ケーブル導入室２４に浸入するのみであり、電子機器配置室２３に配置された電子機器２２は、直接、前記水に曝されない。しかも、ケーブル導入室２４に浸入した前記水は、前記同様、防水隔壁２５によって阻まれ、電子機器配置室２３に浸入し難い。その結果、電子機器２２は、外部からケーブル２１に沿って電装品箱２０内部に浸入した水に直接曝され難くなる。
【００５５】
また、防水隔壁２５は、ケーブル導入室２４が下側になるよう、電装品箱２０内部を上下に区分けする。即ち、電子機器配置室２３とケーブル導入室２４とが、ケーブル導入室２４を下側にして上下に並ぶように電装品箱２０内に形成される。このように電子機器配置室２３の下側にケーブル導入室２４が位置するため、当該ケーブル導入室２４に浸入した水は、上側に位置する電子機器配置室２３へはケーブル２１を伝って浸入し難くなる。
【００５６】
また、防水隔壁２５は、下方に向かって傾斜し、その最下部に通過孔２６が設けられている。そのため、電子機器配置室２３に水が浸入した場合であっても、この浸入した水は、電子機器配置室２３の底部を構成する防水隔壁２５の傾斜に沿って最下部に向かって流れる。この最下部には通過孔２６が設けられているため、防水隔壁２５に沿って流れてきた水は、下側のケーブル導入室２４に通過孔２６を通じて排水される。その結果、電子機器配置室２３内に水が留らず、電子機器２２はより濡れ難くなる。
【００５７】
また、防水隔壁２５は、電子機器２２が配置される内壁面から離れるに従って下がるように傾斜する。そのため、電子機器配置室２３に水が浸入した場合であっても、この水が防水隔壁２５上にたまり、それが当該防水隔壁２５上を電子機器配置室２３内に配置された電子機器から離れる方向（前記手前側）に流れるため、より電子機器２２が濡れ難くなる。
【００５８】
また、ケーブル導入室２４の底部２７は、前記手前側に向かって下方に傾斜し、その最下部に電装品箱２０の外部と内部とを連通する導入室排水孔２８が設けられる。そのため、ケーブル導入室２４に導入されるケーブル２１に沿って浸入した水、及び電子機器配置室２３から排水された水がケーブル導入室２４の底部２７に沿って最下部に向かって流れる。この最下部には導入室排水孔２８が設けられているため、底部２７に沿って流れてきた水、即ち、電装品箱２０内部に浸入した水が外部に排水される。
【００５９】
また、電装品箱２０は、ケーシング１１の外側に取り付けられる。そのため、電装品箱２０内部の電子機器２２の修理及びメンテナンスの際に、電装品箱２０がケーシング１１の外側に露出しているため、作業が行い易くなる。
【００６０】
また、電装品箱２０がケーシング１１の外側に取り付けられているため、空調を行っている室内の空気に直接曝され、当該電装品箱２０内部に水が浸入する場合があり得る。しかし、その場合でも、前記水は、前記同様、防水隔壁２５によって電装品箱２０の内部が区分けされているため、ケーブル導入室２４に浸入するのみである。また、防水隔壁２５によって阻まれるためケーブル導入室２４に浸入した水は電子機器配置室２３に浸入し難い。その結果、電子機器２２は、外部から電装品箱２０内部に浸入した水に直接曝され難くなる。
【００６１】
尚、本発明の室内ユニットは、上記実施形態に限定されるものではなく、本発明の要旨を逸脱しない範囲内において種々変更を加え得ることは勿論である。
【００６２】
例えば、本実施形態においては、電子機器配置室２３とケーブル導入室２４とが上下に並ぶように防水隔壁２５が設けられているが、電子機器配置室とケーブル導入室とが左右に並ぶように防水隔壁を設けてもよい。このように防水隔壁を設けても、電子機器が配置される部屋とケーブルが導入される部屋とが区分けされることで、電装品箱内に水が浸入した場合でも、前記水は、ケーブル導入室に浸入するのみであり、電子機器配置室に配置された電子機器は、直接、前記水に曝されない。しかも、ケーブル導入室に浸入した前記水が防水隔壁によって阻まれ、電子機器配置室に浸入し難いため、電子機器は、外部から電装品箱内部に浸入した水に直接曝され難くなる。
【図面の簡単な説明】
【００６３】
【図１】本実施形態に係る空調機用室内機の斜視図を示す。
【図２】同実施形態に係る空調機用室内機のケーシングの一部を外した状態の斜視図を示す。
【図３】同実施形態に係る空調機用室内機における電装品箱部分の概略構成図を示す。
【図４】同実施形態に係る空調機用室内機であって、（ａ）は、吹き出し口にダクトを接続した状態の概略斜視図を示し、（ｂ）は、吹き出し口にソックダクトを接続した状態の概略斜視図を示す。
【図５】従来のソックダクトを備えた空調機用室内機の側面図を示す。
【符号の説明】
【００６４】
１０   空調機用室内機（室内ユニット）
１１   ケーシング
２０   電装品箱
２１   ケーブル
２２   電子機器
２３   電子機器配置室
２４   ケーブル導入室
２４ａ 貫通孔（連通部）
２５   防水隔壁
２６   通過孔（貫通孔）
【図１】
2009041836.tif 000003
【図２】
2009041836.tif 000004
【図３】
2009041836.tif 000005
【図４】
2009041836.tif 000006
【図５】
2009041836.tif 000007